(57)【要約】【課題】  シート状の弾性部材を用いて局所的に接触圧力を高くすることによって、着用中の位置ずれを防止することのできる使い捨ておむつの提供。【解決手段】  第１及び第２ウエスト域１３，１４のうちの少なくとも第１ウエスト域１３が伸縮可能であって、第１ウエスト域１３が、第１ウエスト域１３の両側縁部１８ｃ，１８ｃ間において、横軸Ｑの方向へ延びるウエスト補助弾性シート２４Ａ，２４Ｂと、レッグ開口縁部１８ｄ，１８ｄに沿って延びるレッグ補助弾性シート２６Ａ，２６Ｂとを有し、ウエスト補助弾性シート２４Ａ，２４Ｂとレッグ補助弾性シート２６Ａ，２６Ｂとが、第１ウエスト域１３の両側部１８ｃ，１８ｃのレッグ開口１７ａ，１７ｂ寄りの各部位において直接的又は間接的に互いに交差しており、交差する各部位が、おむつの着用時において、着用者の腸骨の上方側部及びその近傍と当接する位置にある。【選択図】図２
2010233733.tif 000002
【特許請求の範囲】
【請求項１】
縦軸及びそれに直交する横軸と、肌当接面及びそれに対向する非肌当接面と、第１ウエスト域と、第２ウエスト域と、前記第１及び第２ウエスト域間に位置するクロッチ域と、ウエスト開口及び一対のレッグ開口とを含む使い捨ておむつにおいて、
前記第１及び第２ウエスト域のうちの少なくとも前記第１ウエスト域が弾性的に収縮可能であって、
前記第１ウエスト域が、前記第１ウエスト域の両側縁部間において、前記横軸の方向へ延びるウエスト補助弾性シートと、前記レッグ開口の縁部に沿って延びるレッグ補助弾性シートとを有し、
前記ウエスト補助弾性シートと前記レッグ補助弾性シートとが、前記第１ウエスト域の両側部の前記レッグ開口寄りの各部位において直接的又は間接的に互いに交差しており、
前記おむつの着用時に、互いに交差する前記各部位が、着用者の腸骨の上方側部及びその近傍と当接する位置であることを特徴とする前記使い捨ておむつ。
【請求項２】
前記第１ウエスト域が、前記非肌当接面側に位置する非弾性シートと、前記肌当接面側に位置する弾性シートとをさらに含み、前記ウエスト補助弾性シートが前記非弾性シートと前記弾性シートとの間に配置されており、前記レッグ補助弾性シートが前記弾性シートの肌当接面側に取り付けられている請求項１記載のおむつ。
【請求項３】
前記第１ウエスト域が、前記非肌当接面側に位置する非弾性シートと、前記肌当接面側に位置する弾性シートとをさらに含み、前記ウエスト補助弾性シートと前記レッグ補助弾性シートとが、前記非弾性シートと前記弾性シートとの間に配置されている請求項１記載のおむつ。
【請求項４】
前記第１ウエスト域が、前記ウエスト補助弾性シートが配置されている第１伸縮域と、前記レッグ補助弾性シートが配置されている第２伸縮域と、前記ウエスト補助弾性シートと前記レッグ補助弾性シートとが直接的または間接的に交差している第３伸縮域と、前記ウエスト開口の縁部にそって前記横軸の方向へ延びる、前記ウエスト補助弾性シートと前記レッグ補助弾性シートとが配置されていない第４伸縮域とを有し、前記第１〜４伸縮域の接触圧力の相関関係が、第３伸縮域＞第２伸縮域≧第１伸縮域＞第４伸縮域である請求項１〜３のいずれかに記載のおむつ。
【請求項５】
前記おむつが、吸液性コアをさらに含み、前記ウエスト補助弾性シートが、前記縦軸に関して対称であって、前記第１ウエスト域の両側部に位置する一対の補助弾性シートから形成されており、前記補助弾性シートが前記吸液性コアの外側縁と交差していない請求項１〜４のいずれかに記載のおむつ。
【請求項６】
前記ウエスト補助弾性シートが前記第１ウエスト域の両側部間において前記横軸の方向に一連に延びている請求項１〜４のいずれかに記載のおむつ。
【発明の詳細な説明】
【技術分野】
【０００１】
本発明は、使い捨ておむつ、特に、シート状の弾性部材を用いて、局所的に接触圧力を高くすることによって、着用中の位置ずれを防止することのできる使い捨ておむつに関する。
【背景技術】
【０００２】
フィット性の向上と排泄物の横漏れを防止するために、所要の接触圧力を有する弾性部材を用いるおむつは、公知である。例えば、特許文献１には、前後ウエスト域おいて、おむつの横軸の方向へ延びるストランド状のウエスト弾性要素と、レッグ開口縁部に沿って延びるストランド状のレッグ弾性要素とを含む使い捨ておむつが開示されている。
【先行技術文献】
【特許文献】
【０００３】
【特許文献１】特開２００６−４３０１５号公報
【発明の概要】
【発明が解決しようとする課題】
【０００４】
特許文献１に開示された発明では、ウエスト域に複数条のストランド状のウエスト弾性要素が配置されており、ウエスト域のフィット性が向上し、また、レッグ開口縁部に沿って複数状のストランド状のレッグ弾性要素が配設されているので、排泄物の横漏れを防止することができる。
【０００５】
しかし、着用中のおむつの位置ずれを防止するためには、ウエスト弾性要素の接触圧力を一定以上の高さにする必要がある。ウエスト弾性要素全体が比較的に高い接触圧力を有している場合には、着用者のウエスト回り全体が締め付けられ、圧迫感を与えたり、皮膚の比較的に柔らかい部位に締め付け痕を付けるおそれがある。特に、ウエスト弾性要素がストランド状の弾性部材から形成されている場合には、そのような事態を招く可能性が高いといえる。
【０００６】
そこで、本発明は、シート状の弾性部材を用いて前後ウエスト域全体に適度なフィット性を付与するとともに、局所的に接触圧力を高くすることによって、着用中に大きな位置ずれを生じることのない使い捨ておむつの提供を課題としている。
【課題を解決するための手段】
【０００７】
前記課題を解決するために、本願発明が対象とするのは、縦軸及びそれに直交する横軸と、肌当接面及びそれに対向する非肌当接面と、第１ウエスト域と、第２ウエスト域と、前記第１及び第２ウエスト域間に位置するクロッチ域と、ウエスト開口及び一対のレッグ開口とを含む使い捨ておむつである。
【０００８】
本発明の特徴とするところは、前記第１及び第２ウエスト域のうちの少なくとも前記第１ウエスト域が弾性的に収縮可能であって、前記第１ウエスト域が、前記第１ウエスト域の両側縁部間において、前記横軸の方向へ延びるウエスト補助弾性シートと、前記レッグ開口の縁部に沿って延びるレッグ補助弾性シートとを有し、前記ウエスト補助弾性シートと前記レッグ補助弾性シートとが、前記第１ウエスト域の両側部の前記レッグ開口寄りの各部位において直接的又は間接的に互いに交差しており、前記おむつの着用時に、互いに交差する前記各部位が、着用者の腸骨の上方側部及びその近傍と当接する位置であることにある。
【０００９】
本発明は、前記特徴とする構成のほかに、以下の好ましい実施の態様を含む。
（１）前記第１ウエスト域が、前記非肌当接面側に位置する非弾性シートと、前記肌当接面側に位置する弾性シートとをさらに含み、前記ウエスト補助弾性シートが前記非弾性シートと前記弾性シートとの間に配置されており、前記レッグ補助弾性シートが前記弾性シートの肌当接面側に取り付けられている。
（２）前記第１ウエスト域が、前記非肌当接面側に位置する非弾性シートと、前記肌当接面側に位置する弾性シートとをさらに含み、前記ウエスト補助弾性シートと前記レッグ補助弾性シートとが、前記非弾性シートと前記弾性シートとの間に配置されている。
（３）前記第１ウエスト域が、前記ウエスト補助弾性シートが配置されている第１伸縮域と、前記レッグ補助弾性シートが配置されている第２伸縮域と、前記ウエスト補助弾性シートと前記レッグ補助弾性シートとが直接的または間接的に交差している第３伸縮域と、前記ウエスト開口の縁部にそって前記横軸の方向へ延びる、前記ウエスト補助弾性シートと前記レッグ補助弾性シートとが配置されていない第４伸縮域とを有し、前記第１〜４伸縮域の接触圧力の相関関係が、第３伸縮域＞第２伸縮域≧第１伸縮域＞第４伸縮域である。
（４）前記おむつが、吸液性コアをさらに含み、前記ウエスト補助弾性シートが、前記縦軸に関して対称であって、前記第１ウエスト域の両側部に位置する一対の補助弾性シートから形成されており、前記補助弾性シートが前記吸液性コアの外側縁と交差していない。
（５）前記ウエスト補助弾性シートが前記第１ウエスト域の両側部間において前記横軸の方向に一連に延びている。
【発明の効果】
【００１０】
本発明に係る使い捨ておむつでは、少なくとも第１ウエスト域において、ウエスト補助弾性シートとレッグ補助弾性シートとが、第１ウエスト域の両側部のレッグ開口寄りの各部位において直接的又は間接的に交差している。その交差する部位が、おむつの着用時において、着用者の腸骨の上方側部及びその近傍に当接するので、おむつを局所的に、かつ、確実に着用者の身体に密着させて、位置ずれを防止することができる。
【図面の簡単な説明】
【００１１】
【図１】使い捨ておむつの斜視図。
【図２】おむつの一部破断展開平面図。
【図３】前ウエストパネルの一部拡大図。
【図４】おむつの着用状態を示す図。
【発明を実施するための形態】
【００１２】
図１は、使い捨ておむつ１０の斜視図、図２は、おむつ１０の一部破断展開平面図である。
【００１３】
おむつ１０は、縦軸Ｐ及びそれに直交する横軸Ｑと、肌当接面側及びそれに対向する非肌当接面側と、おむつ１０の着用状態において環状を有する環状ウエストパネル１１と、環状ウエストパネル１１の内面、すなわち、肌当接面側に取り付けられた吸収性シャーシ１２と、前ウエスト域１３と、後ウエスト域１４と、前後ウエスト域１３，１４間に位置するクロッチ域１５と、ウエスト開口１６および一対のレッグ開口１７ａ，１７ｂとを含む。
【００１４】
環状ウエストパネル１１は、前ウエスト域１３とクロッチ域１５の一部とを形成する前ウエストパネル１８と、後ウエスト域１４とクロッチ域１５の一部とを形成する後ウエストパネル１９とから構成されている。
【００１５】
前ウエストパネル１８は、横軸Ｑの方向へ延びる内端縁１８ａと、内端縁１８ａと縦軸Ｐの方向において対向する外端縁１８ｂと、外端縁１８ｂからクロッチ域１５に向って縦軸Ｐの方向へ延びる両外側縁１８ｃ，１８ｃ（前ウエスト域の両側縁）と、両外側縁１８ｃ，１８ｃから縦軸Ｐと斜めに交差する方向へ延びる、円弧状に凹曲する各内側縁１８ｄ，１８ｄ（前レッグ開口縁部）とによって、ほぼ台形状に画成されている。
【００１６】
後ウエストパネル１９は、横軸Ｑの方向へ延びる内端縁１９ａと、内端縁１９ａと縦軸Ｐの方向において対向する外端縁１９ｂと、外端縁１９ｂからクロッチ域１５へ向かって縦軸Ｐの方向へ延びる両外側縁１９ｃ，１９ｃ（後ウエスト域の両側縁）と、両外側縁１９ｃ，１９ｃから縦軸Ｐと斜めに交差する方向へ延びる、円弧状に凹曲する各内側縁１９ｄ，１９ｄ（前レッグ開口縁部）とによって、ほぼ台形状に画成されている。
【００１７】
前ウエストパネル１８の両外側縁１８ｃ，１８ｃと後ウエストパネル１９の両外側縁１９ｃ，１９ｃとは、互いに重ね合わせられて、縦軸Ｐの方向へ間欠的に並ぶサイドシーム部２１において、公知の手段、例えば、熱エンボス加工、ソニックなどの各種の熱溶着手段で接合されることによって連結されている。
【００１８】
前ウエストパネル１８は、肌当接面側に位置する、弾性的に伸縮性の繊維不織布若しくは弾性的に伸縮性のプラスチックシート、またはそれらのラミネートシートからなる第１弾性シート２２と、非肌当接面側に位置する、弾性的に非伸縮性の繊維不織布若しくは弾性的に非伸縮性のプラスチックシート、またはそれらのラミネートシートからなる第１非弾性シート２３と、第１弾性シート２２と第１非弾性シート２３との間に介在されて、両シート２２，２３にホットメルト接着剤を介して接合された一対の前ウエスト補助弾性シート２４Ａ，２４Ｂとを有する。
【００１９】
一対の前ウエスト補助弾性シート２４Ａ，２４Ｂは、それぞれ、少なくとも横軸Ｑの方向へ伸縮可能であって、互いに横軸Ｑの方向において所与寸法離間し、前ウエスト域１３の両側部２５，２５に配置されており、縦軸Ｐに関して対称である。ただし、前ウエスト補助弾性シート２４Ａ，２４Ｂは、前ウエスト域１３の両外側縁１８ｃ，１８ｃ間を横軸Ｑの方向へ一連に延びる弾性シートによって形成してもよい。
【００２０】
また、前ウエストパネル１８の両内側縁１８ｄ，１８ｄ沿いの第１弾性シート２２の肌当接面側には、シート状の弾性部材からなる前レッグ補助弾性シート２６Ａ，２６Ｂがホットメルト接着剤を介して取り付けられている。
【００２１】
後ウエストパネル１９は、肌当接面側に位置する、弾性的に伸縮性の繊維不織布若しくは弾性的に伸縮性のプラスチックシート、またはそれらのラミネートシートからなる第２弾性シート２７と、非肌当接面側に位置する、弾性的に非伸縮性の繊維不織布若しくは弾性的に非伸縮性のプラスチックシート、またはそれらのラミネートシートからなる第２非弾性シート２８と、第２弾性シート２７と第２非弾性シート２８との間に介在されて、両シート２７，２８にホットメルト接着剤を介して接合された一対の後ウエスト補助弾性シート２９Ａ，２９Ｂとを有する。
【００２２】
一対の後ウエスト補助弾性シート２９Ａ，２９Ｂは、それぞれ、少なくとも横軸Ｑの方向へ弾性的に伸縮可能であって、互いに横軸Ｑの方向において所与寸法離間し、後ウエスト域１４の両側部３０，３０に配置されており、縦軸Ｐに関して対称である。ただし、後ウエスト補助弾性シート２９Ａ，２９Ｂを後ウエスト域１４の両外側縁１９ｃ，１９ｃ間を横軸Ｑの方向へ一連に延びる弾性シートによって形成してもよい。
【００２３】
後ウエストパネル１９の両内側縁１９ｄ，１９ｄ沿いの第２弾性シート２７の肌当接面側には、シート状の弾性部材からなる後レッグ補助弾性シート３２Ａ，３２Ｂがホットメルト接着剤を介して取り付けられている。
【００２４】
前後ウエスト補助弾性シート２４Ａ，２４Ｂ，２９Ａ，２９Ｂと、前後レッグ補助弾性シート２６Ａ，２６Ｂ，３２Ａ，３２Ｂとは、弾性的に伸縮性の繊維不織布シート、伸縮性を有するプラスチックフィルム、弾性的に伸縮性の繊維不織布シートと弾性的に伸縮性のプラスチックフィルムとによるラミネートシート、天然ゴムからなる弾性シートなどの各種材料から形成することができる。また、これら補助弾性シートは、非伸長時の寸法よりも約１．５〜３．５倍に伸長された状態で、各シート部材に接合されている。
【００２５】
第１及び第２弾性シート２２，２７は、エラストマー繊維と弾性的に非伸縮性の熱可塑性繊維からなる混合繊維不織布を公知のロール延伸手段等によって機械的に延伸したものであって、非伸長時の寸法よりも約１．５〜３．０倍に横軸Ｑの方向へ伸長された状態で、それぞれ、第１及び第２非弾性シート２３，２８に接合されていることが好ましい。
【００２６】
第１及び第２弾性シート２２，２７に使用されるエラスマー繊維は、ウレタン系やポリエチレン系の繊維であって、混合繊維不織布全体に対しての混合率は、２０〜７５質量％であることが好ましい。エラストマー繊維の混合率が２０質量％以下の場合には、熱可塑性繊維の割合が大きくなり過ぎて、伸縮性不織布に歪みが発生しやすくなり、エラストマー繊維の混合率が７５質量％以上の場合には、シート全体がべたつきやすくなり、シートの肌触りが低下するおそれがあるからである。
【００２７】
吸収性シャーシ１２は、横軸Ｑの方向へ延びる前端縁１２ａと、縦軸Ｐの方向において前端縁１２ａと対向する後端縁１２ｂと、前後端縁１２ａ，１２ｂ間において縦軸Ｐの方向へ延びる両側縁１２ｃ，１２ｃとによって縦長方形状に画成されている。
【００２８】
また、吸収性シャーシ１２は、肌当接面側に位置する透液性の内面シート３３と、非肌当接面側に位置する不透液性の外面シート３４と、内面シート３３と外面シート３４との間に介在された、フラッフパルプと高吸収性ポリマー（ＳＡＰ）との混合からなる吸液性コア３５とを含む。吸液性コア３５は、所要の形状に賦型されており、図示していないが、液拡散性シートで全体が被覆されていてもよい。
【００２９】
内面シート３３と外面シート３４とは、吸液性コア３５の周縁から外方へ延出して、ホットメルト接着剤を介して互いに固着されており、吸液性コア３５の両側縁の横軸Ｑの方向の外方において縦軸Ｐの方向へ延びるサイドフラップと、吸液性コア３５の前後端縁の縦軸Ｐの方向の外方において横軸Ｑの方向へ延びるエンドフラップとが形成されている。エンドフラップは、ホットメルト接着剤を介して前後ウエストパネル１８，１９の内面に接合されており、おむつ１０の着用状態において、吸収性シャーシ１２は環状ウエストパネル１１に吊持された状態となっている（図１参照）。
【００３０】
サイドフラップには、縦軸Ｐの方向へ延びるストランド状の弾性要素３７ａ，３７ｂが配設されている。なお、図示されていないが、サイドフラップには、排泄物の横漏れを防止するために、別体の不透液性のシート部材から作られた、または外面シート３４を内面シート３３よりもさらに横軸Ｑの方向へ延出させ、縦軸Ｐに向って折り返すことによって形成されたバリアカフが配置されていてもよい。
【００３１】
図２に示すとおり、吸液性コア３５は、クロッチ域１５を中心として前後ウエスト域１３，１４の中央部を縦軸Ｐの方向に延びている。前ウエスト補助弾性シート２４Ａ，２４Ｂ及び後ウエスト補助弾性シート２９Ａ，２９Ｂは、吸収性シャーシ１２のサイドフラップと交差しているが、吸液性コア３５の両側縁とは交差していない。
【００３２】
したがって、前後ウエスト補助弾性シート２４Ａ，２４Ｂ，２９Ａ，２９Ｂの接触圧力によって、吸収性シャーシ１２をより肌に密着させることができるとともに、その接触圧力は、吸液性コアに直接作用することはないので、それら弾性シートが収縮しても吸液性コア３５自体に皺が寄るなどして、吸液性能が阻害されるおそれはない。
【００３３】
なお、本実施形態では、前後ウエスト域１３，１４にウエスト補助弾性シートとレッグ補助弾性シートとを配置している態様が開示されているが、後記の効果を奏する限りにおいては、前後ウエスト域１３，１４のうちの少なくとも一方のウエスト域がかかる構成を有していればよい。また、前後ウエスト域１３，１４は、別体の前後ウエストパネル１８，１９によって画成されているが、それらが一体となっておむつ１０の外面を形成する連続したシート部材によって形成されていてもよい。前後ウエスト域１３，１４とクロッチ域１５とが一体となる連続したシート部材から形成されている場合には、前後レッグ補助弾性シート２６Ａ，２６Ｂが、前後レッグ開口縁部に沿って、縦軸Ｐの方向に一連に延びていてもよい。
【００３４】
図３は、前ウエストパネル１８の一部破断拡大図、図４は、おむつ１０の着用状態を示す斜視図である。なお、前述のとおり、前ウエストパネル１８は縦軸Ｐに関して対称に形成されており、後ウエストパネル１９は、前ウエストパネル１８と同様の構成を有しているので、その説明は省略する。また、説明の便宜上、吸収性シャーシ１２を省略している。
【００３５】
前ウエストパネル１８は、前ウエスト補助弾性シート２４Ａが配設されている第１伸縮域３９と、前レッグ補助弾性シート２６Ａが配設されている第２伸縮域４０と、前ウエスト補助弾性シート２４Ａと前レッグ補助弾性シート２６Ａとが交差する第３伸縮域４１（破線で示す領域）と、前ウエスト補助弾性シート２４Ａと前レッグ補助弾性シート２６Ａとが配設されていない、ウエスト開口縁部と第１伸縮域３９との間において横軸Ｑの方向へ延びる第４伸縮域４２とを有する。
【００３６】
第３伸縮域４１は、第１伸縮域３９と第２伸縮域４０とが第１弾性シート２２を介して間接的に重なる領域、すなわち、前述のとおり、前ウエスト補助弾性シート２４Ａと前レッグ補助弾性シート２６Ａとが間接的に交差する領域であるので、第１伸縮域３９及び第２伸縮域４０よりも高い接触圧力を有する。また、第４伸縮域４２は、前ウエスト補助弾性シート２４Ａと前レッグ補助弾性シート２６Ａとが配置されておらず、第１弾性シート２２の接触圧力のみが作用しており、第１及び第２伸縮域３９，４０よりも低い接触圧力を有している。
【００３７】
よって、第１〜４伸縮域３９，４０，４１，４２の接触圧力の相関関係は、第３伸縮域４１＞第２伸縮域４０≧第１伸縮域３９＞第４伸縮域４２となっている。
【００３８】
具体的に言えば、第４伸縮域４２の接触圧力は、３０〜７０ｇ／ｃｍ２であることが好ましい。第４伸縮域４２には、他の伸縮域に比して接触圧力が低く、伸長応力が低いので、おむつ１０を着用するときに、ウエスト開口縁部を指で掴んで上方へ引っ張り上げても、該領域が伸長しすぎることはなく、スムーズに着用することができる。
【００３９】
第１伸縮域３９では、第１弾性シート２２と前ウエスト補助弾性シート２４Ａとの接触圧力が作用しており、その接触圧力は７０〜１００ｇ／ｃｍ２であることが好ましい。また、第２伸縮域４０では、第１弾性シート２２と前レッグ補助弾性シート２６Ａとの接触圧力が作用しており、その接触圧力は、８０〜１２０ｇ／ｃｍ２であることが好ましい。
【００４０】
第２伸縮域４０は、前レッグ開口縁部１８ｄからの排泄物の漏出を防止するために、前ウエスト域１３を着用者の身体へ適度にフィットさせるための第１伸縮域３９よりも、高い接触圧力を有していることが好ましい。また、前ウエスト補助弾性シート２４Ａと前レッグ補助弾性シート２６Ａとは、シート状の弾性部材から形成されているので、それらがストランド状の弾性部材で形成されている場合に比して、局所的に接触圧力が高くなることはなく、着用者の肌に締め付け痕を付けるおそれもない。
【００４１】
第３伸縮域４１では、第１弾性シート２２と、前ウエスト補助弾性シート２４Ａ及び前レッグ補助弾性シート２６Ａの接触圧力が作用しており、後記の効果を奏するためには、その接触圧力は、１４０〜２３０ｇ／ｃｍ２であることが好ましい。
【００４２】
図４に示すとおり、前ウエスト域１３において、前ウエスト補助弾性シート２４Ａと前レッグ補助弾性シート２６Ａとによって形成された第３伸縮域４１と、後ウエスト域１４において、後ウエスト補助弾性シート２９Ａと後レッグ補助弾性シート３２Ａとによって形成された第３伸縮域４１とは、おむつ１０の着用状態において、着用者の腸骨の上方側部（若しくは腸骨稜）及びその近傍と対向する位置に形成されている。
【００４３】
一般に、着用者の腸骨の上方側部及びその近傍には、腹部や脚部の動きが伝わり難く、着用者が歩行したり、腹這いになった状態で移動したりした場合であっても、それらの動作による影響を受けてその位置が動くことはない。
【００４４】
したがって、着用者の動きによっても、大きな位置ずれを生じることのない腸骨及びその近傍に当接する部位に、最も接触圧力の高い第３伸縮域４１を配置することによって、第３伸縮域４１は該領域に安定的に当接する。
【００４５】
また、前ウエスト域１３の第３伸縮域４１には、前ウエスト域１３の側部２５に位置する前ウエスト補助弾性シート２４Ａと、前レッグ開口縁部１８ｄに沿って延びる前レッグ補助弾性シート２６Ａとの接触圧力のほかに、後ウエスト域１４の側部３０に位置する後ウエスト補助弾性シート２９Ａと、後レッグ開口縁部１９ｄに沿って延びる後レッグ補助弾性シート３２Ａとの伸長時の応力も作用するので、その全体が着用者の腸骨の上方側部及びその近傍に密着する。したがって、おむつ１０は面状に、かつ、局所的に、着用者の腰回りにおいて最も安定した部位に固定されていることによって、着用中の位置ずれを効果的に防止することができる。
【００４６】
上記効果を奏する第３伸縮域４１を形成するためには、製品の寸法にもよるが、前ウエスト補助弾性シート２４Ａの幅寸法Ｗ１が１０ｍｍ以上、若しくは、前ウエスト域１３の側縁部１８ｃの縦軸Ｐの方向の長さ寸法の５０％以上であって、かつ、前レッグ補助弾性シート２６Ａの幅寸法Ｗ２が、５ｍｍ以上であることが好ましい。
【００４７】
これらの条件を満たす場合には、たとえ身長差などによって着用者の腸骨の位置に多少の個人差があるとしても、第３伸縮域４１を腸骨及びその近傍に当接する位置に形成することができるからである。また、前ウエスト補助弾性シート２４Ａの幅寸法Ｗ１が１０ｍｍ以下の場合や前レッグ補助弾性シート２６Ａの幅寸法Ｗ２が５ｍｍ以下の場合には、各弾性シートの接触圧力が局所的に作用し、着用者に圧迫感を与えたり、締め付け跡を付けるおそれがあるからである。
【００４８】
なお、前レッグ補助弾性シート２６Ａは、前ウエスト補助弾性シート２４Ａと交差する部位が幅寸法Ｗ２を有する限りにおいては、前側縁部１８ｃから内端縁部１８ａへ向かうにつれて幅狭となるように形成されていてもよい。
【００４９】
また、第３伸縮域４１において、前ウエスト補助弾性シート２４Ａと前レッグ補助弾性シート２６Ａとは第１弾性シート２２を介して間接的に交差しているが、前レッグ補助弾性シート２６Ａを前ウエスト補助弾性シート２４Ａともに第１弾性シート２２と第１非弾性シート２３との間に介在させて、それらを直接重ね合わせてもよい。前ウエスト補助弾性シート２４Ａと前レッグ補助弾性シート２６Ａとが、直接的に交差している場合には、両シート２４Ａ，２６Ａがホットメルト接着剤を介して接合されていてもよいし、接合されていなくてもよい。
【００５０】
第１〜４伸縮域３９，４０，４１，４２の接触圧力は、例えば、下記の方法により、測定することができる。
【００５１】
接触圧力測定用のドールにおむつ１０（自社の子供用のＬサイズを使用）を装着させ、第１〜４伸縮域３９，４０，４１，４２の接触圧力を測定する。ドールは、自社製のものであって、硬化アクリルから形成されており、ウエスト回り寸法が４５０ｍｍ、臀部の周り寸法が５２５ｍｍとなっている。
【００５２】
接触圧力の測定には、接触圧力測定装置（ＡＭＩ．ＴＥＣＨＮＯ社製、接触端子：直径１５ｍｍの丸型接触端子、測定単位：ｇ／ｃｍ２）を使用した。また、比較例として、第１〜４伸縮域３９，４０，４１，４２を有しない、通常のおむつ（自社の子供用のＬサイズ）を用いて、各伸縮域に対応する領域の接触圧力を測定した。
【００５３】
上記測定条件の下、測定した結果（５回測定を行い、測定結果は、その平均の値を示す）は、以下の通りである。
【００５４】
【表１】
2010233733.tif 000003
【００５５】
上記測定結果のとおり、実施例において、第１〜４伸縮域３９，４０，４１，４２の接触圧力の相関関係は、第３伸縮域４１＞第２伸縮域４０≧第１伸縮域３９＞第４伸縮域４２となっている。また、実施例の各伸縮域の接触圧力は、比較例の対応する領域に比して、第４伸縮域４２を除き、相対的に高くなっている。
【符号の説明】
【００５６】
１０  使い捨ておむつ
１３  前ウエスト域（第１ウエスト域）
１４  後ウエスト域（第２ウエスト域）
１５  クロッチ域
１６  ウエスト開口
１７ａ，１７ｂ  レッグ開口
１８ｃ，１８ｃ  前ウエスト域の側縁部
１８ｄ，１８ｄ  前レッグ開口縁部
１９ｄ，１９ｄ  後レッグ開口縁部
２２  第１弾性シート
２３  第１非弾性シート
２４Ａ，２４Ｂ  前ウエスト補助弾性シート
２６Ａ，２６Ｂ  前レッグ補助弾性シート
３５  吸液性コア
Ｐ  縦軸
Ｑ  横軸
【図１】
2010233733.tif 000004
【図２】
2010233733.tif 000005
【図３】
2010233733.tif 000006
【図４】
2010233733.tif 000007